(57)【要約】【課題】記録媒体を保護する機能を損なうことなく携行時や保管時における利便性を向上し得る記録媒体収容ケースを提供する。【解決手段】上ケース１１、および上ケース１１に嵌合可能に構成されて上ケース１１との嵌合状態において２つの記録媒体を収容可能な収容部を形成する下ケース１２を備えたケース本体２と、収容部に収容可能に構成されると共に１つの記録媒体を嵌め込み可能な開口部３ａが形成された保持部材３とを備えて構成されている。【選択図】図３
2007230607.tif 000002
【特許請求の範囲】
【請求項１】
第１ケース、および当該第１ケースに嵌合可能に構成されて当該第１ケースとの嵌合状態において２つの記録媒体を収容可能な収容部を形成する第２ケースを備えたケース本体と、前記収容部に収容可能に構成されると共に１つの前記記録媒体を嵌め込み可能な開口部が形成された保持部材とを備えている記録媒体収容ケース。
【請求項２】
前記保持部材における前記開口部の縁部には、切り欠き部が形成されている請求項１記載の記録媒体収容ケース。
【請求項３】
前記第２ケースは、主板と、当該主板の縁部に配設された外壁と、前記主板上に配設されて前記記録媒体をそれぞれ載置可能な２つの載置領域を前記外壁と共に区画する区画壁とを備えて構成されている請求項１または２記載の記録媒体収容ケース。
【請求項４】
前記主板は矩形状に形成され、前記主板における互いに対向する少なくとも一対の前記縁部に前記外壁がそれぞれ形成され、前記各外壁の長さ方向における各中央部には切り欠き部が形成されている請求項３記載の記録媒体収容ケース。
【請求項５】
前記本体部は、互いに対向する一対の縁部が前記両ケースにそれぞれ接合されて当該両ケースを連結する背板を備えて構成され、
前記両ケースおよび前記背板は一体に形成されている請求項１から４のいずれかに記載の記録媒体収容ケース。
【発明の詳細な説明】
【技術分野】
【０００１】
本発明は、記録媒体を収容可能に構成された記録媒体収容ケースに関するものである。
【背景技術】
【０００２】
この種の記録媒体収容ケースとして、特開平９−１６５０８４号公報に開示されたカセット収納ケース（以下、「収容ケース」ともいう）が知られている。この収容ケースは、収容部（収納部）、蓋部および折曲カバー部を備えて、２種類のビデオテープカセット（例えば、ＶＨＳビデオテープカセットおよびＭＩ１型ビデオテープカセット）を収容可能に構成されている。この収容ケースでは、ＶＨＳビデオテープカセットを収容したときに、収容部の枠部に形成されている圧接部がＶＨＳビデオテープカセットの側面に当接すると共に、枠部に形成されている保持部がＶＨＳビデオテープカセットの背面側に当接する。一方、ＭＩ１型ビデオテープカセットを収容したときに、圧接部がＭＩ１型ビデオテープカセットの側面に当接すると共に、枠部の内側面がＭＩ１型ビデオテープカセットの前面側および背面側に当接する。したがって、２種類のビデオテープカセットのいずれのビデオテープカセットを収容したときにおいても、ビデオテープカセットのがたつきが防止される。
【特許文献１】特開平９−１６５０８４号公報（第３−４頁、図１）
【発明の開示】
【発明が解決しようとする課題】
【０００３】
ところが、上記の収容ケースには、以下の問題点がある。すなわち、この収容ケースでは、２種類のビデオテープカセットを収容することが可能なものの、これらのうちの１つだけを収容する機能しか有していない。一方、近年広く普及しているデジタル方式の小型ビデオカメラに用いられるＤＶ（デジタルビデオテープカセット）は、ＶＨＳビデオテープカセットと比較して小型で携帯性に優れているため、ビデオ撮影の際に複数を携行することが多く、このような使用形態においては、収容ケースに複数のＤＶを収容できるのが好ましい。また、数多くのＤＶを収容ケースに収容した状態で保管棚等に保管する際には、１つの収容ケースにＤＶを１つずつ収容するのはその収容ケースの開け閉めが煩雑であり、このような使用形態においても、収容ケースに複数のＤＶを収容できるのが好ましい。しかしながら、上記したように従来の収容ケースでは、１つのビデオテープカセットだけを収容する機能しか有していないため、上記のような使用形態における利便性が低く、この点の改善が望まれている。この場合、例えば、２つのビデオテープカセットを収容可能とするために、収容部の容積を２倍にする構成も考えられるが、この構成では、ビデオテープカセットを１つだけ収容したときに、ビデオテープカセットががたついて、ビデオテープカセットを保護するという収容ケース本来の機能が損なわれることとなり、単に収容部の容積を増加させるだけの構成を採用するのは困難である。
【０００４】
本発明は、かかる問題点に鑑みてなされたものであり、記録媒体を保護する機能を損なうことなく携行時や保管時における利便性を向上し得る記録媒体収容ケースを提供することを主目的とする。
【課題を解決するための手段】
【０００５】
上記目的を達成すべく本発明に係る記録媒体収容ケースは、第１ケース、および当該第１ケースに嵌合可能に構成されて当該第１ケースとの嵌合状態において２つの記録媒体を収容可能な収容部を形成する第２ケースを備えたケース本体と、前記収容部に収容可能に構成されると共に１つの前記記録媒体を嵌め込み可能な開口部が形成された保持部材とを備えている。
【０００６】
この場合、前記保持部材における前記開口部の縁部に切り欠き部を形成した構成を採用することができる。
【０００７】
また、主板と、当該主板の縁部に配設された外壁と、前記主板上に配設されて前記記録媒体をそれぞれ載置可能な２つの載置領域を前記外壁と共に区画する区画壁とを備えて前記第２ケースを構成することができる。
【０００８】
さらに、前記主板を矩形状に形成すると共に、前記主板における互いに対向する少なくとも一対の前記縁部に前記外壁をそれぞれ形成し、前記各外壁の長さ方向における各中央部に切り欠き部を形成する構成を採用することができる。
【０００９】
また、互いに対向する一対の縁部が前記両ケースにそれぞれ接合されて当該両ケースを連結する背板を備えて前記本体部を構成すると共に、前記両ケースおよび前記背板を一体に形成する構成を採用することができる。
【発明の効果】
【００１０】
本発明に係る記録媒体収容ケースによれば、第１ケースおよび第２ケースの嵌合状態において２つの記録媒体を収容可能な収容部を形成するケース本体と、収容部に収容可能に構成されると共に１つの記録媒体を嵌め込み可能な開口部が形成された保持部材とを備えたことにより、１つの記録媒体を収容するときには、保持部材によって記録媒体をがたつかせることなく確実に保持することができ、２つの記録媒体を収容するときには、ケース本体によって記録媒体をがたつかせることなく確実に保持することができる。つまり、この記録媒体収容ケースによれば、１つの記録媒体を収容した状態、および２つの記録媒体を収容した状態のいずれの状態においても、記録媒体をがたつかせることなく確実に保持することができる。したがって、この記録媒体収容ケースによれば、１つの記録媒体だけを携行したり保管したりする使用形態、および２つの記録媒体を携行したり保管したりする使用形態のいずれの使用形態においても、記録媒体を保護するという記録媒体収容ケース本来の機能を損なうことなく使用することができる結果、ユーザに対する利便性を十分に向上させることができる。
【００１１】
また、本発明に係る記録媒体収容ケースによれば、保持部材における開口部の縁部に切り欠き部を形成したことにより、開口部に嵌め込まれた記録媒体を取り出す際に、切り欠き部に指を入れて記録媒体を挟み込むことができる。このため、記録媒体を保持部材から容易に取り出すことができる。
【００１２】
また、本発明に係る記録媒体収容ケースによれば、主板と、主板の縁部に配設された外壁と、主板上に配設されて記録媒体をそれぞれ載置可能な２つの載置領域を外壁と共に区画する区画壁とを備えたことにより、区画された載置領域に記録媒体をそれぞれ載置するだけで、外壁および区画壁によって２つの記録媒体を確実に保持させることができるため、２つの記録媒体を収容する際の作業性を十分に向上させることができる。
【００１３】
さらに、本発明に係る記録媒体収容ケースによれば、矩形状に形成された主板における互いに対向する少なくとも一対の縁部に形成した各外壁の長さ方向における各中央部に切り欠き部を形成したことにより、下ケースの主板上に載置されている記録媒体を指で容易に挟み込むことができる。また、指で挟み込んだ記録媒体を主板上に載置する際に指が外壁に接触するのを回避することができる。このため、下ケースからの記録媒体の取り出しや、下ケースへの記録媒体の載置を容易に行うことができる。
【００１４】
また、本発明に係る記録媒体収容ケースによれば、上ケースおよび下ケースを連結する背板を備えてケース本体を構成すると共に、両ケースおよび背板を一体に形成したことにより、例えば、１回の射出成形で記録媒体収容ケースを製造することができるため、製造コストを十分に低減することができる。この場合、例えば、上ケースの主板の厚み、下ケースの主板の厚み、および背板の厚みを、互いに同じ厚みに規定することで、両ケースおよび背板を射出成形によって一体に形成する際に、成形用のゲート（樹脂注入口）を一例として背板の中央に設けることで、成形用金型における主板および背板に対応するキャビティ内に樹脂を均等に流し込むことができる。したがって、このように構成することで、主板および背板における反り、ショート、バリおよびウェルド等の発生を確実に防止することができる。
【発明を実施するための最良の形態】
【００１５】
以下、本発明に係る記録媒体収容ケースの最良の形態について、添付図面を参照して説明する。
【００１６】
図１〜図３に示す記録媒体収容ケース１（以下、「収容ケース１」ともいう）は、本発明に係る記録媒体収容ケースの一例であって、ケース本体２および保持部材３を備えて、図１に示す記録媒体１００（一例として、ミニサイズのデジタルビデオテープ）をケース本体２の収容部２ａに収容可能に構成されている。ケース本体２は、互いに嵌合可能な上ケース１１および下ケース１２と、背板１３と、シート１４（図２参照）とを備えて、図１に示すように、両ケース１１，１２の嵌合状態における形状が全体として直方体状となるように構成されている。この場合、上ケース１１、下ケース１２および背板１３は、例えば、樹脂材料の射出成形によって一体に形成されている。
【００１７】
上ケース１１は、本発明における第１ケースに相当し、図３に示すように、主板２１と、主板２１の縁部に沿って立設された側板２２ａ，２２ｂ，２２ｃ（以下、区別しないときには「側板２２」ともいう）とを備えて、下ケース１２に対して嵌合可能に構成されている。主板２１は、図２，３に示すように、矩形（具体的には長方形）の板状に形成されている。また、主板２１は、背板１３との接合部側の縁部２１ａ、および中央部２１ｂが、外周部２１ｃ〜２１ｆ（図２参照）よりも外面側（収容部２ａ側とは逆側）において窪んで肉薄に形成されている。この場合、中央部２１ｂは、ケース本体２内に収容された記録媒体１００を視認可能とするために半透明（または透明）に形成されている。
【００１８】
また、図３に示すように、上ケース１１における側板２２ａ，２２ｂの内面には、複数のリブ２３が形成されている。この場合、リブ２３は、両ケース１１，１２の嵌合状態において後述する下ケース１２の外壁３２ａ，３２ｂの外面にリブ２３の最先端部が当接することで、上ケース１１と下ケース１２とのがたつきを防止する機能を有している。
【００１９】
また、図３に示すように、上ケース１１における背板１３の接合部位に対向する縁部（背板１３とは逆側に位置する縁部）の両端部には、係合部２４，２５が形成されている。この場合、係合部２４，２５は、上ケース１１と下ケース１２とを嵌合させたときに、後述する下ケース１２の係合部３４，３５にそれぞれ嵌合することにより、両ケース１１，１２が容易に開放しないように両ケース１１，１２の嵌合状態を保持する。
【００２０】
下ケース１２は、本発明における第２ケースに相当し、図２，３に示すように、主板３１と、主板３１に配設された外壁３２ａ〜３２ｄおよび区画壁３３ａ，３３ｂとを備えて、上ケース１１に対して嵌合可能に構成されている。また、下ケース１２は、図１に示すように、上ケース１１との嵌合状態において、２つの記録媒体１００を収容可能な収容部２ａを形成する。主板３１は、図２，３に示すように、矩形（具体的には長方形）の板状に形成されている。また、主板３１は、中央部３１ａが縁部３１ｂ，３１ｃ（図２における左右の縁部）よりも外面側（収容部２ａ側とは逆側）において窪んで肉薄に形成されている。この場合、中央部３１ａの厚みは、上ケース１１における主板２１の中央部２１ｂと同じ厚みに規定されている。
【００２１】
外壁３２ａ〜３２ｄ（以下、区別しないときには「外壁３２」ともいう）は、図３に示すように、主板３１の縁部に沿って立設されている。また、外壁３２ａ〜３２ｃの内面には、複数のリブ４２がそれぞれ形成されている。この場合、各リブ４２の形成位置は、図６に示すように、主板３１上に載置された（収容部２ａに収容された）記録媒体１００の側面に形成されている凹凸部１０１に対向する位置を避けるように規定されている。また、リブ４２および各外壁３２は、同図に示すように、主板３１上に載置された記録媒体１００における４つの側面のうちの３つの側面に当接して記録媒体１００のがたつきを防止する機能を有している。また、各外壁３２は、同図に示すように、主板３１に記録媒体１００を載置した状態における記録媒体１００の高さ（つまり記録媒体１００の厚み）よりも各々の両端部の高さがやや低い高さに規定されている。また、図３に示すように、各外壁３２の長さ方向における中央部には、切り欠き部４１が形成されている。つまり、各外壁３２は、長さ方向における中央部の高さが両端部よりも低くなるように形成されている。さらに、外壁３２ｃの両端部には、同図に示すように、上ケース１１の係合部２４，２５とそれぞれ係合可能な係合部３４，３５が形成されている。
【００２２】
区画壁３３ａ，３３ｂ（以下、区別しないときには「区画壁３３」ともいう）は、図３に示すように、外壁３２ｃ，３２ｄにおける長さ方向の中心部から内側（主板３１の中心部側）に向けて突出するようにして主板３１に立設（配設）されている。この場合、区画壁３３は、図６に示すように、主板３１上に載置された記録媒体１００における４つの側面のうちの残りの１つの側面に当接して記録媒体１００のがたつきを防止する機能を有している。また、区画壁３３は、図３，６に示すように、記録媒体１００をそれぞれ１つずつ載置可能な２つの載置領域Ａ１，Ａ２を外壁３２と相俟って（つまり外壁３２と共に）主板３１上において区画する機能を有している。
【００２３】
背板１３は、図２，３に示すように、矩形（具体的には長方形）の板状に形成されている。また、背板１３は、図２に示すように、互いに対向する一対の縁部１３ａ，１３ｂの一方（この例では、縁部１３ａ）が上ケース１１の主板２１に接合されると共に、縁部１３ａ，１３ｂの他方（この例では、縁部１３ｂ）が下ケース１２の主板３１に接合されることにより、両ケース１１，１２を連結する。この場合、背板１３と上ケース１１の主板２１との接合部の収容部２ａ側（図２における紙面奥側）の面、および背板１３と下ケース１２の主板３１との接合部の収容部２ａ側（同図における紙面奥側）の面には、背板１３と上ケース１１との折り曲げ、および背板１３と下ケース１２との折り曲げを容易とするための断面Ｖ字状の溝１５がそれぞれ形成されている。また、背板１３は、中央部１３ｃが縁部１３ｄ，１３ｅ（同図参照）よりも外面側（収容部２ａ側とは逆側）において窪んで肉薄に形成されている。
【００２４】
この場合、中央部１３ｃの厚みは、上ケース１１における主板２１の中央部２１ｂと同じ厚みに規定されている。つまり、上ケース１１の主板２１における中央部２１ｂの厚み、下ケース１２の主板３１における中央部３１ａの厚み、および背板１３における中央部１３ｃの厚みは、互いに同じ厚みに規定されている。このため、上ケース１１、下ケース１２および背板１３を樹脂材料の射出成形によって一体に形成する際に、成形用のゲート１３ｆ（樹脂注入口：図２参照）を一例として背板１３の中央に設けることで、成形用金型における主板２１，３１および背板１３に対応するキャビティ内に樹脂を均等に流し込むことが可能なため、主板２１，３１および背板１３における反り、ショート、バリおよびウェルド等の発生を確実に防止することが可能となっている。
【００２５】
シート１４は、透明性を有する樹脂によって矩形状（具体的には長方形）に形成されて、図２に示すように、下ケース１２の主板３１における中央部３１ａの外面側（収容部２ａ側とは逆側）、および背板１３における中央部１３ｃの外面側を覆うようにして配設されている。つまり、シート１４は、下ケース１２の主板３１および背板１３における窪んだ部分に配設されている。また、シート１４は、同図に示すように、下ケース１２の主板３１における背板１３との接合部位に対向する縁部（同図における下側の縁部）に縁部１４ａが溶着によって固定されると共に、上ケース１１の主板２１における縁部２１ａに縁部１４ａに対向する縁部１４ｂが溶着によって固定されている。また、シート１４は両縁部１４ａ，１４ｂを除く他の縁部１４ｃ，１４ｄが上ケース１１、下ケース１２および背板１３に対して固定されていない状態となっている。この構成により、主板３１および背板１３とシート１４との間に隙間が形成され、この隙間に縁部１４ｃ側または縁部１４ｄ側からラベル等を差し込むことが可能となっている。
【００２６】
また、この収容ケース１では、上記したように、下ケース１２の主板３１における窪んだ部分、および背板１３における窪んだ部分にシート１４が配設されている。このため、下ケース１２における主板３１の縁部３１ｂ，３１ｃや、背板１３の縁部１３ｄ，１３ｅよりも外面側にシート１４が浮き上がる（突出する）事態が回避されている。
【００２７】
保持部材３は、例えば、発泡樹脂によって形成されて、ケース本体２の収容部２ａに収容可能に構成されている。具体的には、保持部材３は、図３に示すように、下ケース１２の主板３１上において各外壁３２によって区画される矩形状（具体的には長方形）の領域と同じ平面形状の板状に構成されている。また、保持部材３は、図４に示すように、下ケース１２の主板３１上に載置された状態において各外壁３２の両端部の高さよりもやや低くなるようにその厚みが規定されている。また、図３，４に示すように、保持部材３の４つの縁部のうちの長い方の２つの縁部における長さ方向の中心部には、一対のスリット３ｂが形成されている。この場合、スリット３ｂは、保持部材３が下ケース１２の主板３１上に載置される際に、図４に示すように、下ケース１２の区画壁３３ａ，３３ｂが嵌め込まれることによって下ケース１２に対する保持部材３の移動を規制する機能を有している。
【００２８】
また、保持部材３は、図３に示すように、記録媒体１００の平面形状と同じ平面形状を有して記録媒体１００を嵌め込み可能な開口部３ａが中央部に形成され、この開口部３ａに嵌め込まれた記録媒体１００を保持する。また、開口部３ａを構成する保持部材３の４つの縁部のうちの短い方の２つの縁部には、一対の切り欠き部３ｃが形成されている。この場合、切り欠き部３ｃは、開口部３ａに嵌め込まれた記録媒体１００を指で挟み込んで保持部材３から取り出す際に、指を入れるために用いられる。
【００２９】
次に、収容ケース１の使用方法について、図面を参照して説明する。なお、初期状態において、図１に示すように、ケース本体２の収容部２ａに保持部材３が収容されると共に、下ケース１２と上ケース１１とが嵌合してケース本体２が閉じた状態となっているものとする。
【００３０】
この収容ケース１（ケース本体２）に例えば１つの記録媒体１００を収容する際には、上ケース１１における背板１３との接合部に対向する縁部（図１に示す左側の縁部）と、下ケース１２における背板１３との接合部に対向する縁部（同図に示す左側の縁部）とを互いにを離反させて、両ケース１１，１２の嵌合状態を解除する。次いで、図４に示すように、ケース本体２を展開する（開く）。
【００３１】
続いて、図５に示すように、下ケース１２の主板３１上に載置されている保持部材３の開口部３ａに記録媒体１００を嵌め込む。この場合、保持部材３が弾力に富む発泡樹脂によって形成されているため、記録媒体１００が保持部材３によって確実に保持される。次いで、背板１３を下ケース１２に対してほぼ直角に折り曲げると共に、上ケース１１を背板１３に対してほぼ直角に折り曲げるようにして、下ケース１２と上ケース１１とを嵌合させる。この際に、上ケース１１の係合部２４，２５と下ケース１２の係合部３４，３５とがそれぞれ係合して、両ケース１１，１２の離反が規制される。また、この状態において、上ケース１１の側板２２ａ，２２ｂに形成されているリブ２３の最先端部が下ケース１２の外壁３２ａ，３２ｂの外面に当接するため、上ケース１１と下ケース１２とのがたつきが確実に防止される。これにより、収容ケース１への１つの記録媒体１００の収容が完了する。
【００３２】
次に、１つの記録媒体１００が収容されている収容ケース１に、さらにもう１つの記録媒体１００を追加して（つまり２つの記録媒体１００を）収容する際には、上記した展開方法と同様にして、ケース本体２を展開する。次いで、収容されている。記録媒体１００を保持部材３の開口部３ａから取り出す。この場合、この収容ケース１では、開口部３ａの縁部に切り欠き部３ｃが形成されている。このため、この切り欠き部３ｃに指を入れて記録媒体１００を挟み込むことができる結果、記録媒体１００を保持部材３から容易に取り出すことが可能となっている。続いて、図３に示すように、下ケース１２から保持部材３を取り出す。
【００３３】
次に、図６に示すように、下ケース１２の外壁３２ａ，３２ｃ，３２ｄおよび区画壁３３ａ，３３ｂによって区画される主板３１上の載置領域Ａ１に、例えば保持部材３から取り出した上記の記録媒体１００を載置する。この場合、各外壁３２の長さ方向における中央部に切り欠き部４１が形成されているため、記録媒体１００を指で容易に挟み込むことができる結果、下ケース１２への記録媒体１００の載置や下ケース１２からの記録媒体１００の取り出しを容易に行うことが可能となっている。
【００３４】
次いで、下ケース１２の外壁３２ｂ，３２ｃ，３２ｄおよび区画壁３３ａ，３３ｂによって区画される主板３１上の載置領域Ａ２に、もう１つの記録媒体１００を載置する。この場合、外壁３２ａ〜３２ｃに形成されている各リブ４２、外壁３２ｃおよび区画壁３３が記録媒体１００の各側面に当接するため、主板３１上に載置された記録媒体１００のがたつきが確実に防止される。続いて、上記したように下ケース１２と上ケース１１とを嵌合させる。これにより、収容ケース１への２つの記録媒体１００の収容が完了する。
【００３５】
次に、２つの記録媒体１００が収容されている収容ケース１から、２つの記録媒体１００を取り出して、１つの記録媒体１００だけを収容ケース１に収容する際には、上記したようにケース本体２を展開する。次いで、２つの記録媒体１００を取り出した後に、図４に示すように、下ケース１２の主板３１上に保持部材３を載置する。この場合、下ケース１２の区画壁３３ａ，３３ｂを保持部材３のスリット３ｂに嵌め込ませつつ保持部材３を載置する。これにより、下ケース１２に対する保持部材３の移動が規制される。次いで、取り出した２つの記録媒体１００のうちの所望の１つの記録媒体１００を保持部材３の開口部３ａに嵌め込んだ後に、下ケース１２と上ケース１１とを嵌合させる。これにより、収容ケース１への１つの記録媒体１００の収容が完了する。
【００３６】
一方、この収容ケース１では、下ケース１２の主板３１および背板１３とシート１４との間の隙間にラベル等を差し込むことが可能となっている。この場合、この収容ケース１では、主板３１の大部分を占める中央部３１ａの面積と背板１３の大部分を占める中央部１３ｃの面積との合計の面積に相当する大形のラベル等を差し込むことができるため、収容ケース１に収容する記録媒体１００に関する多くの情報をラベル等に記載することが可能となっている。また、この収容ケース１では、上記したように、下ケース１２における主板３１の縁部３１ｂ，３１ｃや、背板１３の縁部１３ｄ，１３ｅよりも外面側にシート１４が浮き上がる事態が回避されている。このため、例えば、複数の収容ケース１を棚等に並べて収納したとしても、棚からの出し入れの際に、隣接する収容ケース１にシート１４が引っ掛かって、シート１４が剥がれ落ちる事態を防止することが可能となっている。
【００３７】
このように、この収容ケース１によれば、上ケース１１および下ケース１２の嵌合状態において２つの記録媒体１００を収容可能な収容部２ａを形成するケース本体２と、収容部２ａに収容可能に構成されると共に１つの記録媒体を嵌め込み可能な開口部３ａが形成された保持部材３とを備えたことにより、１つの記録媒体１００を収容するときには、保持部材３によって記録媒体１００をがたつかせることなく確実に保持することができ、２つの記録媒体１００を収容するときには、ケース本体２を構成する外壁３２、区画壁３３等によって記録媒体１００をがたつかせることなく確実に保持することができる。つまり、この収容ケース１によれば、１つの記録媒体１００を収容した状態、および２つの記録媒体１００を収容した状態のいずれの状態においても、記録媒体１００をがたつかせることなく確実に保持することができる。したがって、この収容ケース１によれば、１つの記録媒体１００だけを携行したり保管したりする使用形態、および２つの記録媒体１００を携行したり保管したりする使用形態のいずれの使用形態においても、記録媒体１００を保護するという収容ケース１本来の機能を損なうことなく使用することができる結果、ユーザに対する利便性を十分に向上させることができる。
【００３８】
また、この収容ケース１によれば、保持部材３における開口部３ａの縁部に切り欠き部３ｃを形成したことにより、開口部３ａに嵌め込まれた記録媒体１００を取り出す際に、切り欠き部３ｃに指を入れて記録媒体１００を挟み込むことができる。このため、記録媒体１００を保持部材３から容易に取り出すことができる。
【００３９】
また、この収容ケース１によれば、主板３１の縁部に配設された外壁３２と、主板３１上に配設されて記録媒体１００をそれぞれ載置可能な２つの載置領域Ａ１，Ａ２を外壁３２と相俟って主板３１上において区画する区画壁３３とを備えたことにより、区画された載置領域Ａ１，Ａ２に記録媒体１００をそれぞれ載置するだけで、外壁３２および区画壁３３によって２つの記録媒体１００を確実に保持させることができるため、２つの記録媒体１００を収容する際の作業性を十分に向上させることができる。
【００４０】
また、この収容ケース１によれば、各外壁３２の長さ方向における中央部に切り欠き部４１を形成したことにより、下ケース１２の主板３１上に載置されている記録媒体１００を指で容易に挟み込むことができる。また、指で挟み込んだ記録媒体１００を主板３１上に載置する際に指が外壁３２に接触するのを回避することができる。このため、下ケース１２からの記録媒体１００の取り出しや、下ケース１２への記録媒体１００の載置を容易に行うことができる。
【００４１】
また、この収容ケース１によれば、上ケース１１および下ケース１２を連結する背板１３を備えてケース本体２を構成すると共に、両ケース１１，１２および背板１３を一体に形成したことにより、例えば、１回の射出成形で収容ケース１を製造することができるため、製造コストを十分に低減することができる。この場合、この収容ケース１では、上ケース１１の主板２１における中央部２１ｂの厚み、下ケース１２の主板３１における中央部３１ａの厚み、および背板１３における中央部１３ｃの厚みが、互いに同じ厚みに規定されている。このため、両ケース１１，１２および背板１３を射出成形する際に、成形用のゲート１３ｆ（樹脂注入口）を一例として背板１３の中央に設けることで、成形用金型における主板２１，３１および背板１３に対応するキャビティ内に樹脂を均等に流し込むことができる。したがって、この収容ケース１によれば、主板２１，３１および背板１３における反り、ショート、バリおよびウェルド等の発生を確実に防止することができる。
【００４２】
なお、本発明は、上記した構成に限定されない。例えば、記録媒体１００の一例としてのミニサイズのデジタルビデオテープを収容可能な収容ケース１を例に挙げて説明したが、これに限定されず、各種の記録媒体の収容ケースに本発明を適用することができる。また、保持部材３の形状、および保持部材３における切り欠き部３ｃの数や形状は、上記した例に限定されず、適宜変更することができる。また、保持部材３を発泡樹脂で形成した例について上記したが、紙などの他の各種材料を用いて保持部材３を形成することもできる。また、長さ方向における中央部に切り欠き部４１を形成することによって中央部の高さが両端部よりも低くなるように外壁３２を形成した例について上記したが、これとは逆に、両端部が中央部よりも低くなるように外壁３２を形成する構成を採用することもできる。また１つの外壁３２に複数の切り欠き部４１を形成する構成を採用することもできる。
【図面の簡単な説明】
【００４３】
【図１】収容ケース１および記録媒体１００の斜視図である。
【図２】展開した状態の収容ケース１を外面側から見た収容ケース１の平面図である。
【図３】展開した状態のケース本体２および保持部材３の斜視図である。
【図４】ケース本体２に保持部材３を載置した状態の収容ケース１の斜視図である。
【図５】保持部材３の開口部３ａに記録媒体１００を嵌め込んだ状態の収容ケース１の斜視図である。
【図６】２つの記録媒体１００を下ケース１２の主板３１上に載置した状態の収容ケース１の斜視図である。
【符号の説明】
【００４４】
１  記録媒体収容ケース
２  ケース本体
２ａ  収容部
３  保持部材
３ａ  開口部
３ｃ，４１  切り欠き部
１１  上ケース
１２  下ケース
１３  背板
１３ａ，１３ｂ  縁部
２１，３１  主板
２２ａ，２２ｂ，２２ｃ  側板
３２ａ〜３２ｄ  外壁
３３ａ，３３ｂ  区画壁
１００  記録媒体
Ａ１，Ａ２  載置領域
【図１】
2007230607.tif 000003
【図２】
2007230607.tif 000004
【図３】
2007230607.tif 000005
【図４】
2007230607.tif 000006
【図５】
2007230607.tif 000007
【図６】
2007230607.tif 000008